(57)【特許請求の範囲】
【請求項１】
芝根に密着しない透水性のある人工地盤上に、土壌浸食防止用のシートを敷設し、
前記シート上で芝を育成して、シートの上から芝根が貫通して該シートと芝が一体化してなる緑化シートを人工地盤上に形成し、該緑化シートを人工地盤から分離する、緑化シートの製作方法。
【請求項２】
前記シートが不織布からなる、請求項１に記載の緑化シートの製作方法。
【請求項３】
前記芝が日本芝である、請求項１または２に記載の緑化シートの製作方法。
【請求項４】
造成された法面に、請求項１〜３のいずれかに記載の製作方法にて製作された緑化シートを敷設する、法面緑化方法。
【発明の詳細な説明】
【技術分野】
【０００１】
本発明は、法面緑化等に使用される緑化シートの製作方法と、この製作方法にて製作された緑化シートを適用してなる法面緑化方法に関するものである。
【背景技術】
【０００２】
盛土によって法面を造成する際に、その法面の崩壊を防止するべく、テンサーと呼ばれる網目状の補強材を盛土内に層状に敷設し、鋼製枠や土壌浸食防止用のシートを法面に敷設する、ジオテキスタイル工法が用いられることが多い。なお、このジオテキスタイル工法では、鋼製枠の背面に芝草の種子を編み込んでなる土壌浸食防止用のシートを取り付け、法面の緑化を図りながら、法面からの土壌流出やその崩壊の防止を図るものである。
【０００３】
上記ジオテキスタイル工法をより詳細に説明するに、該工法にて用いられる鋼製枠の背面には、不織布などで構成される土壌浸食防止用のシートに芝草などの植物の種子を編み込んでなる植生シートを敷設することが一般的である。しかし、この芝草の種子が発芽し、芝根が植生シートを貫通して盛土法面に活着するまでには時間を要し、そのために、芝根の活着は気象状況やその変化、盛土の含水量やその変化の影響を受け易いことから、現状、芝草による法面の均一緑化は難しく、法面からの土砂流出の防止や法面崩壊の防止を十分に保証するものとは言い難い。
【０００４】
ところで、本出願人等は、ある造成現場において、造成法面をジオテキスタイル工法にて緑化するに際し、鋼製枠に芝草マットと土壌浸食防止用のシートを番線などで固定したものを法面に敷設することを試みている。しかし、芝草マットは絡み合う匍匐茎のみから形成されているために、施工中に崩れ易く、その法面固定に多大な手間がかかることが分かった。また、単に番線などで固定するのみでは、芝を植生シートや法面に均一に接触させるのが難しく、これに起因して芝が枯れ易くなってしまうことから、芝が根付くまでの期間に亘る、頻繁な散水が必須であることも分かった。
【０００５】
ここで、芝草を使用して造成法面を緑化する従来の公開技術へ目を転じるに、特許文献１には、圃場の上で、法面浸食防止シートと植生芝シートを一体化することにより、法面保護用植生シートを製造する方法が開示されている。
【０００６】
そして、中でもその図２で示す複合シート（製品Ｂ）においては、芝根に圃場の土壌が付いた状態で切り出すことによって複合シートを得るとしているが、このように土壌を付着させた複合シートの製品重量は極めて重く、たとえばこれを上記するジオテキスタイル工法が適用されるような法面緑化に使用した際には、その重量のために法面への敷設が困難となることは必至である。
【０００７】
そこで、製品重量を軽減するべく、浸食防止シートの直下で複合シートを切り出そうとすると、今度は、シートから圃場の土壌内に浸入した芝根の大部分を切断することとなってしまい、ジオテキスタイル工法等が適用されるたとえば急傾斜法面に芝根を根付かせることができなくなってしまう。
【０００８】
一方、他の公開技術として、特許文献２には、不透水性の平坦基盤上でネット材を展開し、その上に芝生マットや芝生ランナー、種子などを散布することでネット材と芝の一体化を図る方法が開示されている。
【０００９】
この技術では、植生マットの製造にネット材が用いられているが、ジオテキスタイル工法等が適用されるたとえば急傾斜法面にネット状の資材を適用しても、法面浸食やその崩壊を防止することは極めて困難である。
【００１０】
そこで、ネット材の代わりに、たとえば不織布製のシートを特許文献２に開示の技術に適用して、植生マットを製造しようとした場合には、今度は、不透水性の平坦地盤上でシートが展開されていることから、芝根はシートを貫通せず、シート状面でマット状の根系を形成することとなる。そして、これをそのまま法面に敷設しようとすると、マット状の芝の根系が水分を保持してしまうために、法面を構成する土壌に根付くまでに多大な時間を要することとなってしまい、依然として既述する気象状況やその変化等の影響を受け易く、法面を均一に緑化するのが難しいものとなってしまう。
【００１１】
さらに、特許文献２には、芝根とネット材を絡ませる際にバーク堆肥などによって保水基材を設け、保水性の高い基盤で植生マットを製造する旨の記載があるが、この方法では、植生マットの剥がし取り易さは担保されるものの、保水基材が含まれているために、やはりその軽量化を図ることが難しく、マット重量の重い場合に関する既述の課題を内包することとなる。
【先行技術文献】
【特許文献】
【００１２】
【特許文献１】特開２０００−２８２４７３号公報
【特許文献２】特開２００２−１０５９６２号公報
【発明の概要】
【発明が解決しようとする課題】
【００１３】
本発明は、上記する問題に鑑みてなされたものであり、造成法面に対する芝の根付きも良好で活着し易く、したがって、可及的に短い期間で、しかも可及的に均一に法面の緑化を図ることができ、さらには、この法面が急勾配であっても、法面浸食やその崩壊を効果的に防止できるとともに、施工性に優れた法面緑化施工の実現に供し得る、緑化シートの製作方法と、この製作方法にて製作された緑化シートを適用した法面緑化方法を提供することを目的とする。
【課題を解決するための手段】
【００１４】
前記目的を達成すべく、本発明による緑化シートの製作方法は、透水性のある人工地盤上に、土壌浸食防止用のシートを敷設し、前記シート上で芝を育成して、シートの上から芝根が貫通して該シートと芝が一体化してなる緑化シートを人工地盤上に形成し、該緑化シートを人工地盤から分離することにより、緑化シートを得るものである。
【００１５】
ここで、「透水性のある人工地盤」とは、火山砂利や粗砂、玉砂利、礫、クラッシャーラン等の砕石などを、栽培槽や圃場内を掘削してできた栽培用掘削槽に敷き詰める等されてできる地盤のことを意味しており、少なくとも、透水性を有するとともに（したがって、粘土質地盤のように芝根と密着するものでない）、この人工地盤内に生長した芝の芝根が入り込み、次いで、シートを人工地盤内から剥ぎ取る際に、芝根が芝から千切れることがなく、しかも、人工地盤から剥ぎ取られた芝根に地盤が付着しない、もしくは付着し難い地盤材料を敷き均してできる地盤である。
【００１６】
また、この人工地盤上に敷設され、芝をその上で育成する土壌浸食防止用のシートは、軽量であるのが望ましく、たとえば、不織布、植物素材の繊維ネットなど、芝との絡みが良好で芝の固定性に優れ、さらには、透水性に優れたシートが適用されるのがよい。
【００１７】
人工地盤上に土壌浸食防止用のシートを敷設し、その上に芝のマットを張ったり、あるいは、芝の匍匐茎を播き出し、たとえばこれに覆土をして芝の育成をおこなう。
【００１８】
所定期間経過後、シートの上から芝根が貫通し、人工地盤内に根付くことで、該シートと芝が一体化された緑化シートが形成される。
【００１９】
シートと芝が一体化されたら、緑化シートを人工地盤から剥ぎ取る等することによって緑化シートは得られるが、この剥ぎ取りに際しても、上記するように人工地盤が透水性の良好なもの、言い換えれば、粘着力を有する粘土質系の地盤でない素材の地盤であることから、人工地盤からの芝根の剥ぎ取りも良好であり、しかも、この剥ぎ取りの際に芝根に地盤素材が付着し難いことから、剥ぎ取り後の緑化シートの重量は依然として軽量なままである。
【００２０】
その表面に芝が良好に繁茂し、ほとんどすべての芝の芝根は該芝から千切れることなくシート背面から延びており、さらにはその全体重量が軽量な緑化シートが得られることで、急傾斜勾配の造成法面への搬入性、敷設施工性の双方に優れ、法面への活着性も良好な緑化シートが得られる。
【００２１】
ここで、上記する芝は、日本芝であるのが好ましい。
【００２２】
現在のジオテキスタイル工法等を適用してなる法面緑化に適用される植生シートに含まれる芝草種子は、その多くが西洋芝などの外来種に由来する草種である。この外来種の中には要注意外来生物に指定されている植物も含まれていることから、生物多様性保全の観点から、西洋芝の種子を含む植生シートの導入は望ましくない。
【００２３】
そこで、その表面に日本芝を繁茂させてなる上記緑化シートを製作し、これを造成法面に敷設することで、上記効果に加えて、環境影響負荷の少ない緑化法面を形成することができる。
【００２４】
すなわち、本発明は、上記製作方法にて製作された緑化シートを造成された法面に敷設してなる法面緑化方法をも包含するものであり、この「造成された法面」には、新規な造成エリアにおいて新規に施工された法面のほかにも、土砂災害等の法面崩壊現場において、その復旧に際してあらたに造成された復旧法面をも含むものである。そして、特に後者の法面においては、可及的に短期間での復旧法面の緑化が最重要課題であることから、異常気象とこれに起因する土砂災害が増加の一途を辿る昨今の状況を鑑みるに、本発明の法面緑化方法はこれらの復旧工事に好適であり、今後はその適用の増大が予想される。
【００２５】
この法面緑化工法の実施例としては、造成法面に製作された緑化シートを敷設し、上記するジオテキスタイル工法にて鋼製枠からなる壁面材の背面に該緑化シートを設置する方法などを挙げることができる。すなわち、従来のジオテキスタイル工法に本発明の製作方法にて製作された緑化シートを適用することで、従来のジオテキスタイル工法の場合の既述する課題、すなわち、芝草マットが施工中に崩れ易く、その法面固定に多大な手間がかかること、芝が根付くまでの期間に亘る頻繁な散水が必須であること、外来種の導入によって環境影響負荷が増大してしまうこと、等の課題を解消しながら、早期に法面の全面に均一に芝草による緑化面を形成することができる。
【発明の効果】
【００２６】
以上の説明から理解できるように、本発明の緑化シートの製作方法と、この方法にて製作された緑化シートを適用してなる法面緑化方法によれば、その表面に芝が良好に繁茂し、ほとんどすべての芝の芝根は該芝から千切れることなくシート背面から延びており、さらにはその全体重量が軽量な緑化シートが得られることで、可及的短期間での均一な法面緑化を、優れた施工性の下で実現することができるものである。
【図面の簡単な説明】
【００２７】
【図１】本発明の緑化シートの製作方法の一部を説明した模式図である。
【図２】図１に続き、緑化シートの製作方法の他の一部を説明した模式図である。
【図３】本発明の法面緑化方法にて形成された緑化法面を模式的に示した縦断面図である。
【図４】（ａ）は、左から順に、人工地盤として黒ボク土を栽培槽内に収容した状況（比較例）を示す図、人工地盤として火山砂利を栽培槽内に収容した状況（実施例）を示す図であり、（ｂ）は、比較例，実施例の人工地盤上にそれぞれ、土壌浸食防止用のシートを敷設した状況を示す図であり、（ｃ）は、シート上に芝張りを実施している状況を示す図であり、（ｄ）は、芝張り４０日後の芝の生育状況を示す図である。
【発明を実施するための形態】
【００２８】
以下、図面を参照して本発明の実施の形態を説明する。なお、図１，２で示す緑化シートの製作方法は、所望形状および寸法の栽培槽内で製作する方法を示すものであるが、これ以外にも、たとえば、圃場内地盤に所望する形状および寸法の栽培用掘削槽を造成し、ここで緑化シートを製作するもの等であってもよい。また、図１の平面図を省略するが、図示する栽培槽は、極めて広範な面積を有するもの（緑化シートが形成されたら、所定の平面寸法に切断して人工地盤から剥ぎ取る）、比較的平面寸法の小さなものが複数用意される形態など、その平面的な形状や大きさは任意である。
【００２９】
図１、図２は順に、本発明の緑化シートの製作方法を説明した模式図である。
【００３０】
まず、高さ１０ｃｍ程度の枠で囲った栽培槽Ｔを圃場地盤Ｇ上に載置し、この内側に防根シートＳを敷設する。ここで、栽培槽Ｔを形成する枠材は木製が望ましいものの、少なくとも、枠の端部や底部から人工地盤中の余剰水が適度に外部に排水される材質、構造のものであれば、金属素材、樹脂（プラスチック）素材のいずれであってもよい。
【００３１】
次いで、防根シートＳで覆われた栽培槽Ｔ内に、砂利Ｊ等の排水性の良好な土壌を敷き均し、芝生育用の人工地盤１を形成する。ここで、人工地盤１に使用される砂利Ｊは、火山砂利、粗砂、玉砂利、クラッシャーランなどの砕石等、敷き均した際に適度な空隙、すなわち、この空隙内に芝の芝根が成長し、芝を剥がした際に、芝根が空隙を介してスムースに人工地盤から分離されるような空隙を形成でき、排水性の良好な材料であれば砂利等に限定されるものではない。
【００３２】
この人工地盤１上に、たとえば、土木工事にて土壌浸食防止用に用いられるシート２を敷設し、このシート２上に、芝Ｇのマットを張るか、もしくは芝の匍匐茎を播き出して覆土し、シート２を介して人工地盤１上で芝の育成をおこなう。
【００３３】
ここで、シート２は、不織布や植物素材の繊維ネットなど、芝との絡みが良好で芝の固定性に優れ、透水性に優れるとともに、軽量な素材から形成されるのがよい。
【００３４】
また、芝には生物多様性保全等の観点から、日本芝が適用されるのが望ましい。
【００３５】
図１の状態で、たとえば１ヶ月ほどの期間に亘って栽培養生すると、芝Ｇの芝根Ｎがシート２を貫通して人工地盤１内にまで延び、したがって、シート２と芝Ｇが芝根Ｎを介して一体化する。
【００３６】
シート２の上から芝根Ｎが貫通して該シート２と芝Ｇが一体化したものに対し、所定の平面寸法で切れ目を入れ、シート２を人工地盤１から剥ぎ取ることで、所定の平面形状および平面寸法の緑化シート１０が製作される。
【００３７】
ここで、芝根Ｎは、排水性に富む砂利が隣接する砂利との間で形成する隙間に延びており、しかも、粘性土のように粘着力を有するものでないことから、芝根Ｎは、人工地盤１から容易に剥ぎ取られるとともに（したがって、芝根が芝から千切れていない）、剥ぎ取られた姿勢においてその表面に人工地盤が付着しておらず、緑化シートの全重量は軽量となる。
【００３８】
図１，２で示す製作方法で製作された緑化シート１０を、造成された法面に敷設することにより、法面緑化を図ることができる。ここで、緑化法面構造を示す図３を参照して、その法面緑化方法を概説する。
【００３９】
図３には、ジオテキスタイル工法を適用して造成された法面に対し、図１，２で説明する方法で製作された緑化シート１０を敷設して構成された緑化法面１００を示している。
【００４０】
まず、法面造成方法を概説するに、造成地盤にジオテキスタイルＧＴを敷設し、不図示の土嚢を設置し、盛土地盤の播き出しおよび敷き均しをおこない、敷き均し地盤を締固めて法面を形成する。ここで、ジオテキスタイルＧＴとしては、織布（ジオオーブン）、不織布（ジオノンオーブン）、編物（ジオニット）や、ジオグリッド、ジオネットなどが適用できる。
【００４１】
造成された法面には、現場搬入された緑化シート１０を所定範囲に亘って敷設し、さらにその前面に鋼製枠ＫＷを取り付けて、もしくは、予め緑化シート１０と鋼製枠ＫＷを組み付けたものを法面に敷設して、緑化法面１００が施工される。
【００４２】
図示する緑化シート１０は、その製作が容易であるとともに、その背面から芝根が芝から千切れることなく延びていること、シート２に芝Ｇが密生していること、極めて軽量であること、などにより、造成法面への敷設性（施工性）に優れ、しかも、被敷設法面の全面に亘り、均一な緑化面の短期間での形成を可能とするものである。
【００４３】
[緑化シートの重量、および、造成法面に対する活着性に関する検証実験とその結果]
本発明者等は、高さ１０ｃｍの木枠で、平面積が２０ｍ２程度の栽培槽を２つ用意し、その一つには、人工地盤材料として黒ボク土を使用して栽培槽内に敷き均したもの（比較例）、他の一つには、人工地盤材料として砂礫状溶岩（砂利）を使用して栽培槽内に敷き均したもの（実施例）とした。そして、各栽培槽の人工地盤上に、土壌浸食防止用のシート（ネトロン植生シート８５（日新産業株式会社製））を敷設し、３０ｃｍ角のノシバマットをシート上に張り、施肥と目砂を散布した。なお、図４に、当該実験における、実際の緑化シートの製作方法を写真図として示している。ここで、図４ａは、左から順に、比較例を示す図、実施例を示す図であり、図４ｂは、比較例，実施例の人工地盤上にそれぞれ、土壌浸食防止用のシートを敷設した状況を示す図であり、図４ｃは、シート上に芝張りを実施している状況を示す図であり、図４ｄは、芝張り４０日後の芝の生育状況を示す図である。
【００４４】
実施例、比較例の各栽培槽に対して週に一回程度の割合で散水を実施し、２ヶ月程度の経過を待って、いずれの栽培槽においても芝根がシートを貫通したことを確認した。この段階で、３０ｃｍ角の大きさで芝とシートに切れ目を入れ、シートの端部を持って人工地盤等から剥ぎ取り、実施例、比較例それぞれに固有の緑化シートを得た。
【００４５】
この剥ぎ取りに当たり、黒ボク土を敷いた比較例の栽培槽では、厚み５ｃｍ程度の土が付いたシートが切り出されたが、砂礫状溶岩を敷いた実施例の栽培槽からシートを剥ぎ取ると、溶岩内から芝根がスムースに取り外され、一部の芝根に付着した溶岩も栽培槽内に落下して、シートを貫通した芝根がむき出した状態となっていた。
【００４６】
切り出した緑化シートの重量を計測した結果を以下の表１に示す。なお、現場内で造成した芝生広場より切り出した芝のマットの測定結果を参考例として示している。
【００４７】
[表１]
0005414554.tif 000002
【００４８】
表１より、比較例のシートは３０ｃｍ角当たりでおよそ１３．０ｋｇであったのに対して、実施例の緑化シートはおよそ５．７ｋｇであり、比較例の４割程度の重量であった。また、参考例の芝マットの重量は、７．１ｋｇであった。
【００４９】
これら２種類の緑化シートと、公園から切り出した日本芝と、を傾斜角２０度程度の法面に３枚ずつ目串で固定し、１ヶ月後の根の活着状況と緑化度を計測した。実施例、比較例および参考例の各活着率を計測した結果を以下の表２に示す。
【００５０】
[表２]
0005414554.tif 000003
【００５１】
表２より、実施例の緑化シートは、比較例の緑化シートと同等の良好な根付きとなっていることが実証されている。
【００５２】
また、図４ｄより、人工地盤を適用してなる実施例は、比較例と同様、芝の生育状況は良好であることが確認できる。
【００５３】
また、上記検証実験による緑化シートの重量比較、造成法面における活着状況を総合勘案すると、本発明の製作方法にて製作された緑化シートを用いて造成法面の緑化を図ることで、品質に優れた緑化法面を、優れた施工性のもとで、しかも短期間に施工でき、従来の法面緑化方法に対して格段に優れた効果を奏するものとなっている。
【００５４】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５５】
１…人工地盤、２…シート（地盤浸食防止用のシート）、１０…緑化シート、１００…緑化法面、Ｇ…芝、Ｎ…芝根、Ｊ…砂利、Ｓ…防根シート、Ｔ…植栽槽、Ｇ…圃場地盤、ＮＭ…法面、ＧＴ…ジオテキスタイル、ＫＷ…鋼製枠
【図１】
0005414554.tif 000004
【図２】
0005414554.tif 000005
【図３】
0005414554.tif 000006
【図４】
0005414554.tif 000007